(57)【要約】【課題】コードを適切に保護しつつ、携帯性を向上することができるヘッドホンを提供すること。【解決手段】左右一対のイヤカップ５と、前記イヤカップ５内に収納される音響回路と、前記左右一対のイヤカップ５をそれぞれハンガ４を介して接続するヘッドバンド２と、前記音響回路に信号を供給するコードとを備えたヘッドホン１を提供する。このヘッドホン１において、前記ハンガ４と前記ヘッドバンド２との接続部３は、大径の中空部材３２０の中に小径の中空部材３１０を出し入れ可能な多段構造を成す伸縮部３として構成され、前記伸縮部３に収納されるコード部分３３１は、伸縮自在に螺旋状に巻回されており、前記ヘッドバンド２と前記伸縮部３との間および前記ハンガ４と前記伸縮部３との間には、それぞれ結節部３１３，３１４，３１５が形成されており、前記各結節部には、前記コードが貫通可能な貫通孔３１８，３２６が形成されている。【選択図】図６
2009105554.tif 000002
【特許請求の範囲】
【請求項１】
左右一対のイヤカップと、前記イヤカップ内に収納される音響回路と、前記左右一対のイヤカップをそれぞれハンガを介して接続するヘッドバンドと、前記音響回路に信号を供給するコードとを備えたヘッドホンであって、
前記ハンガと前記ヘッドバンドとの接続部は、大径の中空部材の中に小径の中空部材を出し入れ可能な多段構造を成す伸縮部として構成され、
前記伸縮部に収納されるコード部分は、伸縮自在に螺旋状に巻回されており、
前記ヘッドバンドと前記伸縮部との間および前記ハンガと前記伸縮部との間には、それぞれ結節部が形成されており、
前記各結節部には、前記コードが貫通可能な貫通孔が形成されていることを特徴とする、ヘッドホン。
【請求項２】
前記コードは、少なくとも４本以上の信号線が配線される多芯構造を有していることを特徴とする、請求項１に記載のヘッドホン。
【請求項３】
前記コードの外部被覆は、軸線方向と交差する方向に複数に区画され、各区画内に複数の信号線が配線される多重構造を有していることを特徴とする、請求項２に記載のヘッドホン。
【請求項４】
前記コードの外部被覆は、幅広のフラットケーブル形状を有していることを特徴とする、請求項２に記載のヘッドホン。
【請求項５】
前記伸縮部に収納されるコード部分は、当該コードの切断面における短手方向が螺旋の径方向になるように、巻回されることを特徴とする、請求項３に記載のヘッドホン。
【発明の詳細な説明】
【技術分野】
【０００１】
本発明は、ヘッドホンに関する。
【背景技術】
【０００２】
従来からユーザが装着して音声を聴くためにヘッドホンが使用されている。このヘッドホンは、スピーカを収納した左右２つのイヤカップを有する。そして、両イヤカップは、ヘッドバンドにより接続されている。
【０００３】
このヘッドホンのスピーカ等を駆動するために、左右イヤカップ内部に音声信号を提供する必要がある。この音声信号を供給する配線方法としては、外部の接続端子からの配線コードを左右両イヤカップの内部に引き込む方法と、この配線コードを左右どちらか一方のイヤカップ内部に引き込む方法とがある。
【０００４】
【特許文献１】特許第３５２０５３１号公報
【発明の開示】
【発明が解決しようとする課題】
【０００５】
両イヤカップの内部にコードを引き込む場合、両イヤカップに直接音声信号を供給することができる。しかしながら、コードが両イヤカップから略下方に垂れた状態となるため、ヘッドホンの着脱時にコードが煩雑で邪魔となったり、装着時にユーザの首の両サイドにコードが垂れるため、ユーザに不快感を与えている。
【０００６】
左右どちらか一方のイヤカップの内部にコードを引き込む場合、一方のハウジングからしかコードが引き出されないため、上記の場合で問題となっていたコードによる煩雑感やユーザの不快感を低減することができる。
しかし、この場合、コードが接続された一方のイヤカップから、他方のイヤカップへと音声信号を供給するコードが別途必要となる。尚、ヘッドホンは、ユーザの頭部の大きさ等に合わせた調整が可能となるように、イヤカップの配置位置（ユーザがヘッドホンを装着した場合にイヤカップが配置される位置）を調整することができる。よって、一方のイヤカップから他方のイヤカップへと信号供給コードを配置する際に、イヤカップの配置位置の調整機構との関係が問題となる。
【０００７】
イヤカップの配置位置の調整機構としては、例えば、イヤカップとヘッドバンドとの間の距離を伸縮することができるスライダ機構を使用する方法と、特許文献１に開示されているように、ヘッドバンドの下側にヘッドバンドの左右端部間を接続するヘッドクッションを設け、このヘッドクッションを伸縮させる方法とがある。
【０００８】
スライダ機構を使用する場合、左右両イヤカップを接続するコードの配置方法としては、例えば、コードをスライダ機構を迂回するように配置する方法と、スライダ機構内部にコードを収納する方法とがある。
【０００９】
コードがスライダ機構を迂回する場合、コードが外部に露出することになる。よって、コードの煩雑感、露出した部位でコードが断線する確率、及びコードを他の部材や機器に引っかける危険性等が増加するという問題がある。
【００１０】
一方、スライダ機構内部に収納される場合、コードは、スライダ機構内部に設けられた空間に屈曲した状態で収納される。よって、コードが外部に露出することはなく、上記のような問題は生じ難い。しかしながら、スライダ機構内部のコードが自由に動いてしまうため、引っ張りや曲げ応力によりコードが断線する恐れや、スライダ機構内部の別の部材にコードが引っ掛かる可能性が増加するという問題もある。この問題が発生する確率を低減し、かつ、屈曲したコードの全長を収納するために、スライダ機構を大きく形成する必要がある。スライダ機構が大きくなると、ヘッドセットの携帯性を損ねる。
【００１１】
一方、上記特許文献１のように、スライダ機構を使用せずにヘッドクッションを使用する場合、この左右両イヤカップを接続するコードは、スライダ機構を有さないため、ヘッドバンド内部に収納されうる。しかし、ヘッドバンドは、伸びきったヘッドクッションが干渉しないように、大きな形状で形成される必要がある。よって、ヘッドホン自体が大きくなるので、携帯性を更に向上させたヘッドホンが希求されている。
【００１２】
そこで、本発明は、上記問題に鑑みてなされたものであり、本発明の目的とするところは、コードを適切に保護しつつ、携帯性を向上することが可能な、新規かつ改良されたヘッドホンを提供することにある。
【課題を解決するための手段】
【００１３】
上記課題を解決するために、本発明のある観点によれば、左右一対のイヤカップと、イヤカップ内に収納される音響回路と、左右一対のイヤカップをそれぞれハンガを介して接続するヘッドバンドと、音響回路に信号を供給するコードとを備えたヘッドホンであって、ハンガとヘッドバンドとの接続部は、大径の中空部材の中に小径の中空部材を出し入れ可能な多段構造を成す伸縮部として構成され、伸縮部に収納されるコード部分は、伸縮自在に螺旋状に巻回されており、ヘッドバンドと伸縮部との間およびハンガと伸縮部との間には、それぞれ結節部が形成されており、各結節部には、コードが貫通可能な貫通孔が形成されていることを特徴とする、ヘッドホンが提供される。
【００１４】
この構成によれば、大径の中空部材の中から小径の中空部材を引き出すことにより、伸縮部を伸ばすことができ、大径の中空部材の中に小径の中空部材を挿入することにより、伸縮部を縮めることができる。よって、ヘッドホンは、ヘッドバンドに対するイヤカップの位置を調整し、ユーザの頭部の形状に合わせて変形することができる。この際、左右のイヤカップを接続するコードは、この伸縮部に収納される。よって、コードが外部に露出することを防ぐことができる。また、伸縮部に収納されるコードは、螺旋状に巻回されているので、弾力性（バネ性）を有する。よって、伸縮部が伸縮された場合、螺旋状のコードが伸縮みして、かかる伸縮の変形を吸収する。よって、コードが伸縮部の内部で弛み、自由に動くことを防ぐことができる。また、この伸縮部に収納されるコードは、ヘッドバンドと伸縮部との間およびハンガと伸縮部との間に形成された結節部の貫通孔を貫通して、伸縮部へと導入される。よって、コードは、この伸縮部の内部へと略直線上に導入されるので、他の構成部材と引っ掛かる恐れを低減することもできる。
【００１５】
また、コードは、少なくとも４本以上の信号線が配線される多芯構造を有してもよい。
【００１６】
また、コードの外部被覆は、軸線方向と交差する方向に複数に区画され、各区画内に複数の信号線が配線される多重構造を有してもよい。
【００１７】
また、コードの外部被覆は、幅広のフラットケーブル形状を有してもよい。
【００１８】
また、伸縮部に収納されるコード部分は、当該コードの切断面における短手方向が螺旋の径方向になるように、巻回されてもよい。この構成によれば、伸縮部に収納されるコードは、軸線方向と垂直な面での切断面における短手方向が螺旋の径方向となるように、巻回される。換言すれば、コードは、切断面における長手方向が螺旋の回転軸と略平行となるように、巻回される。よって、螺旋の回転径を小さくすることができ、ひいては、伸縮部に確保すべきコードの収納スペースを小さくすることができる。
【発明の効果】
【００１９】
以上説明したように本発明によれば、コードを適切に保護しつつ、携帯性を向上することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜ヘッドホン＞
まず、図１及び図２を参照して、本発明の各実施形態に係るヘッドホンの概要について説明する。
【００２２】
図１及び図２は、本発明の各実施形態に係るヘッドホンを説明するための説明図である。図１に示すように、ヘッドホン１は、ヘッドバンド２と、左右のスライダ３，ハンガ４，及びイヤカップ５と、コード８とを有する。
【００２３】
尚、図１におけるｘ軸正の方向が、ユーザにとっての右方向を表し、ｙ軸正の方向が、ユーザにとっての上方向を表す。そして、図２におけるｚ軸負の方向が、ユーザにとっての前方向を表す。つまり、ｘ軸正の方向にあるスライダ３，ハンガ４，及びイヤカップ５が、ユーザの右耳用であり、ｘ軸負の方向にあるスライダ３，ハンガ４，及びイヤカップ５が、ユーザの左耳用である。
【００２４】
ヘッドバンド２は、左右のスライダ３間を接続する接続部材であり、ユーザがヘッドホン１を装着した場合、通常、このヘッドバンド２の少なくとも一部がユーザの頭頂部に接して、ヘッドホン１を支持する。また、ヘッドバンド２は、所定の剛性及び弾力性を有しており、ヘッドホン１は、ヘッドバンド２の湾曲した形状が引き延ばされることにより、両イヤパッド７の間の空間が拡大されて、ユーザの頭部に装着可能となる。
【００２５】
スライダ３は、伸縮部の一例であって、ヘッドバンド２とハンガ４とを連結すると共に、ハンガ４をヘッドバンド２に対して軸方向に摺動可能に支持する摺動部材である。つまり、スライダ３は、伸縮することができ、このスライダ３の伸縮により、ハンガ４より下方の各部材が、ヘッドバンド２に対して下方に移動することができる。よって、装着時には、ヘッドホン１は、ユーザの頭部の大きさや耳と頭頂部との距離などに合わせてスライダ３の伸縮を調整して、イヤカップ５をユーザの耳に対向した状態で装着される。一方、使用しない場合などには、ヘッドホン１は、スライダ３を縮めた状態で保管することができるので、保管スペースを節約することができる。このスライダ３の構成については、詳しく後述する。
【００２６】
ハンガ４は、スライダ３とイヤカップ５とを連結すると共に、略前後方向（ｚ軸）を回転軸としてイヤカップ５を回動可能に支持する回動部材である。また、このハンガ４は、略上下方向（ｙ軸）を回転軸としてスライダ３に回動可能に支持される。このハンガ４により、ハンガ４自身がｙ軸回りに回動し、かつ、イヤカップ５がｚ軸回りに回動するので、ヘッドホン１は、装着時においてユーザの耳周囲の形状に合わせてイヤカップ５の向きを変更し、イヤカップ５を耳に対向させることができる。
【００２７】
イヤカップ５は、ユーザの耳に当接してユーザに音声を提供する部材であり、大きく分けて、ハウジング６及びイヤパッド７を有する。
【００２８】
ハウジング６は、その内部に小型のスピーカ（図示せず）を収納する収納部である。また、このハウジング６には、スピーカを駆動する音声信号に対して、例えば音像定位処理・ノイズキャンセリング処理・信号増幅処理などの信号処理を施す所定の音響用の電気回路（「音響回路」ともいう。）等が配置されてもよい。また、右又は左のハウジング６には、一端に入力端子（図示せず）が接続された入力信号用のコード８が接続され、このコード８の他端は、ハウジング６に収納されたスピーカや音響回路に接続される。
【００２９】
コード８が接続されてないハウジング６内のスピーカを駆動するために、コード８が接続されたハウジング６と、コード８が接続されていないハウジング６との間には、接続コード（図示せず）が配置される。尚、この接続コードは、ハンガ４，スライダ３，及びヘッドバンド２の内部に配置される。換言すれば、コード８を介して一方のハウジング６に入力した音声信号は、接続コードを介して他方のハウジング６にも入力し、左右両スピーカが駆動される。そして、音声信号は、スピーカが駆動することにより、音声に変換されてユーザの耳へと提供される。尚、この接続コードは、スライダ３の大きさを低減し、かつ、断線等の不具合の発生を抑制する構成を有する。この接続コードについては、詳しく後述する。
【００３０】
イヤパッド７は、ハウジング６のユーザの耳に対向する面に取り付けられて、ハウジング６とユーザの頭部との間の緩衝の役割を担う。つまり、変形しにくい硬い素材で形成されたハウジング６が直接ユーザの頭部に接すると、ユーザの装着時の快適性を著しく損ねるが、イヤパッド７は、弾力性を有してハウジング６が直接ユーザに接することを防ぎ、両者の間で緩衝の役割を担う。
【００３１】
＜スライダについて＞
次に、図３を参照して、本発明の各実施形態に係るヘッドホン１が有するスライダ３の構成について詳しく説明する。図３は、本発明の各実施形態に係るスライダの構成を分解して説明するための説明図である。
【００３２】
図３に示すように、スライダ３は、大きく分けて、インナスライダ３１０とアウタスライダ３２０とを有する。インナスライダ３１０は、小径の中空部材の一例であって、略筒状に形成される。アウタスライダ３２０は、大径の中空部材の一例であって、インナスライダ３１０の内径よりも大きな外径を有する略筒状に形成される。そして、インナスライダ３１０は、大径のアウタスライダ３２０の中空中に挿入され、出し入れ可能に支持される。よって、スライダ３は、このインナスライダ３１０がアウタスライダ３２０から出入りすることにより、伸縮する多段構造を有する。そして、このインナスライダ３１０及びアウタスライダ３２０が共に中空で形成される。換言すれば、インナスライダ３１０及びアウタスライダ３２０の内部には、略直線状の貫通孔が形成される。そして、この貫通孔に上記接続コードが挿入される。
【００３３】
各構成についてより詳細に説明する。
インナスライダ３１０は、第１インナスライダ３１１，第２インナスライダ３１２，第１結節部３１３，第２結節部３１４，及び螺子３１６を有する。
【００３４】
第１インナスライダ３１１及び第２インナスライダ３１２は、例えば１つの筒を軸方向に２つに分割した形状をそれぞれ有しており、相互に係合することによりインナスライダ３１０の一部を形成する。尚、第２インナスライダ３１２は、ユーザの頭部側に配置され、第１インナスライダ３１１は、ユーザの頭部に対して反対側に配置される。
【００３５】
第２結節部３１４は、第２インナスライダ３１２の軸方向上側に第２インナスライダ３１２と一体に形成され、この第２結節部３１４には、ユーザの頭部側から外側に向けて締結孔３１５が形成される。第１結節部３１３は、第２結節部３１４と係合可能に形成され、この第１結節部３１３には、締結孔３１５と対応した位置に雌螺子（図示せず）が切られている。この第１結節部３１３と第２結節部３１４とは、両者の間にヘッドバンド２の端部を挟んだ状態で相互に係合される。
【００３６】
この際、ヘッドバンド２の前後方向に形成された溝２２が、第２結節部３１４内に形成された凸部（図示せず）と係合することにより、ヘッドバンド２と第２結節部３１４との位置関係が決定される。そして、螺子３１６が、ヘッドバンド２に形成された貫通孔２１と第２結節部３１４の締結孔３１５とを貫通して、第１結節部３１３の雌螺子と螺合することにより、ヘッドバンド２が固定される。尚、この第１結節部３１３と第２結節部３１４とは、係合した状態で中空の略筒状の形状となる。この中空部は、インナスライダ３１０の中空部と略直線状になり、１つの貫通孔を形成する。
【００３７】
一方、アウタスライダ３２０は、第１アウタスライダ３２１，第２アウタスライダ３２２，ラッチ部材３２３，スプリング３２４，及びリング３２７を有する。
【００３８】
第１アウタスライダ３２１は、ユーザの頭部側の一部に開口部を有し、上下方向（スライダ３の軸方向）に貫通孔を有する略筒状に形成される。第２アウタスライダ３２２は、第１アウタスライダ３２１の開口部を覆うカバーである。よって、第１アウタスライダ３２１と第２アウタスライダ３２２とが係合することにより、１つの略筒状のアウタスライダ３２０の一部を形成する。そして、この第１アウタスライダ３２１の中空部に、上記インナスライダ３１０が挿入される。
【００３９】
また、挿入する側の第２インナスライダ３１２のユーザの頭部側の側面には、前後方向（ｚ軸方向、ユーザの前後方向）に延長形成された凹状の切欠き３１７が、スライダ３の軸方向に沿って複数配置される。一方、挿入される側の第２アウタスライダ３２２の第１アウタスライダ３２１側の内面には、スプリング３２４を介してラッチ部材３２３が配置される。ラッチ部材３２３は、上記切欠き３１７と対応して前後方向に延長形成された凸部を有している。よって、インナスライダ３１０がアウタスライダ３２０に挿入されると、ラッチ部材３２３の凸部が、スプリング３２４の弾性力によりインナスライダ３１０側に押圧されて、凹状の切欠き３１７と係合する。このラッチ機構により、インナスライダ３１０とアウタスライダ３２０との位置関係が固定される（図６参照。）。そして、複数の切欠き３１７からラッチ部材３２３が係合する切欠き３１７を選択することにより、スライダ３を伸縮させて固定することができる。
【００４０】
また、第１アウタスライダ３２１の軸方向下側には、第１アウタスライダ３２１と一体に結節部３２５が形成される。そして、略筒状の第１アウタスライダ３２１の貫通孔に対して略直線上の結節部３２５には、貫通孔３２６が形成される。
【００４１】
一方、イヤカップ５を支持するハンガ４の上方には、上記貫通孔３２６の内径に対応した外径を有する略円筒形の凸部４１が形成されており、この凸部４１は、上記結節部３２５の貫通孔３２６に挿入される。更に、凸部４１の上端の側面には、溝４２が形成されており、凸部４１が貫通孔３２６に挿入された状態で、溝４２にリング３２７が係合される。このリング３２７の径方向の厚みは、溝４２の深さよりも大きく、リング３２７によりハンガ４がスライダ３に固定される。一方凸部４１にも、軸方向（上下方向）に貫通孔４３が形成されている。
【００４２】
よって、上記の接続コードは、イヤカップ５の内部からハンガ４の内部を通過し、凸部４１の貫通孔４３から導出される。そして、接続コードは、結節部３２５の貫通孔３２６を貫通した後に、アウタスライダ３２０の内部（貫通孔）を通過し、略直線上にインナスライダ３１０の内部（貫通孔）へと入る。そして、インナスライダ３１０の内部を通過した接続コードは、第１結節部３１３と第２結節部３１４との間の貫通孔を通過して、ヘッドバンド２の内部へと導出される。
【００４３】
尚、図３には、左耳用のスライダ３等の構成を示したが、右耳用のスライダ３等の構成は、左右対称である以外は同様である。よって、ヘッドバンド２の内部を通過した接続コードは、ヘッドバンド２の内部を通過して、右耳用のスライダ３等を同様に通過して、他方のイヤカップ５へと導入される。
【００４４】
＜第１実施形態に係る接続コードについて＞
次に、図４及び図５を参照して、本発明の第１実施形態に係るヘッドホン１が有する接続コードについて説明する。図４及び図５は、本発明の第１実施形態に係るヘッドホンが有する接続コードについて説明するための説明図である。尚、図４には、接続コードの左耳側の一部を示し、図５には、この接続コードの一部を切断した切断面も示す。
【００４５】
接続コード３３０は、イヤカップ５のハウジング６内部に収納された音響回路に信号を供給するコードの一例であって、左右のイヤカップ５間を電気的に連結し、図４に示すように、２つのコードが軸線方向に沿って連結された形状を有する。図５に示すように、この接続コード３３０は、例えば１２芯のような多芯構造を有する。近年のヘッドホンの音響回路は、上述の如く、例えば音像定位処理・ノイズキャンセリング処理・信号増幅処理などの信号処理を行う。このために、接続コードは、音声信号用のライン以外に複数のラインが必要となる。よって、本実施形態において接続コードは、１２芯を有する。
【００４６】
つまり、接続コード３３０は、１２本の信号線３３３を有し、各信号線３３３は、内部被覆３３４に覆われている。このような信号線３３３は、６本ずつ束ねられて外部被覆３３２に覆われている。つまり、接続コード３３０は、多重構造を有する。換言すれば、外部被覆３３２は、軸線方向と交差する方向に２つに区画されており、各区画内に信号線３３３が６本ずつの配線される。尚、この内部被覆３３４及び外部被覆３３２は、絶縁被覆である。
【００４７】
また、この接続コード３３０は、その一部に、伸縮部の一例である螺旋状に巻回された螺旋部３３１を有する。よって、接続コード３３０は、この螺旋部３３１により伸縮することができる。より具体的には、上述のように接続コード３３０の外部被覆３３２は、軸線方向と交差する方向に２つに区画されているが、螺旋部３３１は、この区画された方向（図５中の方向Ｐ）、つまり、接続コード３３０の断面形状における長手方向が、螺旋軸と略平行になるように、巻回される。このように螺旋部３３１が巻回されることにより、螺旋部３３１の巻回半径を小さくすることができる。
【００４８】
尚、コードを螺旋状に巻回しする場合、螺旋の径方向のコードの厚みをｄとした場合、螺旋の直径Ｄは、コードの厚みｄの約３倍の長さを確保する必要がある。本実施形態では、断面形状が短手方向（つまり、厚みが薄い方向）が、螺旋の径方向の厚みｄとなるように配置されているため、螺旋の回転径を小さくすることができる。特に、本実施形態のように、多芯で構成された接続コードを使用する場合、接続コードの径が大きくなり、螺旋状に形成したとしても、螺旋部の直径が大きくなる。しかし、本実施形態に係る接続コード３３０は、断面形状の短手方向が螺旋の径方向になるように、巻回されるので、螺旋部３３１の直径を小さくすることができ、ひいては、ヘッドホン１全体の大きさを小さくし、携帯性を向上させることができる。
【００４９】
この接続コード３３０が内部に配置され、組み立てられたスライダ３の構成及び動作について、図６及び図７を参照して説明する。
【００５０】
図６及び図７は、本実施形態に係るスライダ内部の状態を説明する説明図である。尚、図６には、スライダ３が縮められた状態を示し、図７には、スライダ３が伸ばされた状態を示す。尚、図６及び図７には、左耳用のスライダ３等を示す。右耳用のスライダ３等については、図６及び図７と左右対称に構成されて、同様の動作をするため、ここでの詳しい説明は省略する。
【００５１】
図６に示すように、接続コード３３０は、イヤカップ５からハンガ４を介してスライダ３へと導かれる。この際、接続コード３３０は、結節部３２５に形成された貫通孔３２６を通過する。そして、接続コード３３０は、アウタスライダ３２０の内部に挿入されたインナスライダ３１０に形成された貫通孔を通過し、上方の第１結節部３１３と第２結節部３１４との間に形成された貫通孔３１８を介して、ヘッドバンド２の中へと導かれる。接続コード３３０は、螺旋部３３１がスライダ３の内部に位置するように、配置される。
【００５２】
また、接続コード３３０における螺旋部３３１よりも上方側は、第１結節部３１３及び／又は第２結節部３１４に固定され、螺旋部３３１よりも下方側は、結節部３２５に固定される。
【００５３】
よって、図７に示すように、インナスライダ３１０がアウタスライダ３２０の内部から引き出されてスライダ３が伸ばされると、スライダ３内部に配置された接続コード３３０の螺旋部３３１が引き伸ばされる。つまり、螺旋部３３１が、スライダ３の伸縮に対応して伸縮することにより、スライダ３を伸縮可能に構成することを可能にしている。また、螺旋部３３１は、弾性力を有しているため、スライダ３が縮んだ場合、図６に示すように、螺旋部３３１も、縮むことができる。そして、スライダ３の伸縮による長さの変化を、接続コード３３０の螺旋部３３１の伸縮が吸収する。この際、螺旋部３３１は、その弾性力により螺旋の径Ｄよりも広がることがなく、かつ、スライダ３の伸縮による曲げ応力がかかりにくい。よって、この接続コード３３０は、コードがスライダの内部で弛み自由に動くことにより他の部材に引っ掛かったり、引っ張りや曲げ応力により切断される等の不具合が発生する可能性を低減することができる。また、螺旋部３３１はスライダ３の内部に収納され、接続コード３３０の他の部位もヘッドホン１の内部に収納される。よって、接続コード３３０は、外部に露出することがないため、コードの煩雑さを低減することができ、かつ、コードが切断される危険性を低減することができる。
【００５４】
以上、説明したように、本実施形態によれば、伸縮自在な多段式のスライダ３を有し、このスライダ３中に接続コード３３０を配置することにより、コードの煩雑性やコードが断線等する恐れを低減することが可能である。また、接続コード３３０が、スライダ３の内部の伸縮する位置に螺旋部３３１を有することにより、接続コード３３０の遊び（例えば、弛みなど）を低減して、外部からの衝撃で断線する恐れや他の構成部材と引っ掛かる恐れを低減することが可能である。また、この際、接続コード３３０は、図６及び図７に示すように、上下の結節部に形成された貫通孔３１８，３２５を介して、略直線上に配置されるので、接続コード３３０が他の構成部材と引っ掛かる恐れを更に低減し、かつ、接続コード３３０の全長を短縮することが可能である。更に、接続コード３３０の螺旋部３３１は、短手方向が螺旋の径方向となるように巻回されるので、螺旋の直径を小さくすることができ、ひいては、スライダ３に形成される接続コード３３０の収納部である貫通孔の断面形状を小さくすることができる。よって、スライダ３を小さくすることができ、結果として、ヘッドホン１をコンパクト化して、携帯性を向上させることができる。
【００５５】
尚、上記本実施形態では、接続コード３３０の外部被覆３３２が２つに区画された場合について説明したが、外部被覆３３２は、３つ以上に区画されてもよい。この場合、各区画に配置される信号線３３３は、例えば、ほぼ均等な本数となることが好ましい。
【００５６】
以上、本発明の第１実施形態について説明した。
次に、本発明の第２実施形態について、図８を参照して説明する。尚、本実施形態に係るヘッドホンにおいて、接続コード３３０以外の構成は、上記第１実施形態に係るヘッドホン１と同様であるため、ここでの詳しい説明は省略する。
【００５７】
＜第２実施形態に係る接続コードについて＞
図８は、本発明の第２実施形態に係るヘッドホンが有する接続コードについて説明するための説明図である。尚、図８には、この接続コードの一部を切断した切断面も示す。
【００５８】
接続コード３４０は、イヤカップ５のハウジング６内部に収納された音響回路に信号を供給するコードの一例であって、左右のイヤカップ５間を電気的に連結する。また、接続コード３４０は、図８に示すように、幅広のフラットケーブル形状を有している。つまり、接続コード３４０は、軸線方向と交差する面上における断面形状が、長手（図８中の方向Ｐと平行な辺）と短手（図８中の厚みｄを有する辺）を有した、平たい形状を有する。そして、接続コード３４０は、上記第１実施形態に係る接続コード３３０と同様に、例えば１２芯のような多芯構造を有する。
【００５９】
つまり、接続コード３４０は、１２本の信号線３３３を有し、各信号線３３３は、内部被覆３３４に覆われている。このような信号線３３３は、更に１つの外部被覆３４２に覆われている。よって、接続コード３４０も、第１実施形態に係る接続コード３３０と同様に、多重構造を有する。尚、この外部被覆３３２も、絶縁被覆である。
【００６０】
また、この接続コード３４０も、その一部に、螺旋状に巻回された螺旋部３４１を有する。よって、接続コード３４０は、この螺旋部３４１により伸縮することができる。より具体的には、上述のように接続コード３４０の外部被覆３４２は、フラットケーブル状に形成されるが、螺旋部３４１は、このフラットケーブル状における長手方向（図８中の方向Ｐ）が、螺旋軸と略平行になるように、巻回される。換言すれば、螺旋部３４１は、短手方向（図８中の厚みｄの方向）が螺旋の径方向（図８中の直径Ｄの方向）となるように、巻回される。このように螺旋部３４１が巻回されることにより、螺旋部３４１の巻回半径を小さくすることができる。
【００６１】
本実施形態においても上記第１実施形態と同様に、螺旋部３４１がスライダ３の内部に位置するように、接続コード３４０は、ヘッドホン１の内部に収納される。従って、本実施形態に係る接続コード３４０によっても、上記第１実施形態と同様の作用・効果を奏することができる。
【００６２】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【００６３】
例えば、上記実施形態では、スライダ３のアウタスライダ３２０は、第２アウタスライダ３２２を有するとしたが、本発明はかかる例に限定されない。例えば、アウタスライダ３２０は、第２アウタスライダ３２２を有さなくてもよい。この場合、ラッチ部材３２３及びスプリング３２４は、第１アウタスライダ３２１の内面に配置される。
【００６４】
また、上記実施形態では、インナスライダ３１０及びアウタスライダ３２０が略円筒形の形状を有する場合を図示して説明したが、本発明はかかる例に限定されない。インナスライダ３１０及び／又はアウタスライダ３２０は、接続コード３３０を収容する空間を有する形状であればよく、例えば、断面形状が円形、長方形、三角形、菱形等の形状で形成されてもよい。
【００６５】
また、上記実施形態では、接続コードは多芯であるとし、その例として１２芯の場合について説明した。しかし、本発明はかかる例に限定されない。尚、特に４芯以上の接続コードの場合、上記実施形態によれば、螺旋部の径を小さくすることができ、効果的である。他方、１芯、２芯、３芯の接続コードの場合、外部被覆３３２は必ずしも必要ではなく、接続コードは、各信号線３３３が軸線方向に沿って接続されたフラットケーブルであってもよい。この場合も、厚みの薄い方向が、螺旋の径方向となるように、接続コードの螺旋部は、巻回される。
【００６６】
また、接続コードとして、予め内部被覆が施された例えばＵＥＷ線（ポリウレタン銅線）等を数本から数十本撚って形成された信号線３３３を使用してもよい。この場合は、内部被覆３３４を省略することができる。内部被覆３３４がない場合は、図４及び図５におけるコードの厚みｄの寸法を小さくすることができるので、螺旋の直径Ｄを小さくすることができる。更に信号線３３３に流す信号にあわせて内部被覆３３４を有す信号線と内部被覆３３４を有さない信号線とを混在させた接続コードを使用することも可能である。
【００６７】
また、第１実施形態では、外部被覆３３２の１つの区画の断面形状が略円形である場合について説明し、第２実施形態では、外部被覆３４２の断面形状が短辺が半円形状の略長方形である場合について説明したが、本発明はかかる例に限定されない。例えば、外部被覆３３２は、断面形状が、楕円径・長方形・菱形・台形・平行四辺形等に形成されてもよい。この際、断面形状が長手と短手を有するように、外部被覆３３２が形成されることが好ましい。
【図面の簡単な説明】
【００６８】
【図１】本発明の各実施形態に係るヘッドホンを説明するための説明図である。
【図２】本発明の各実施形態に係るヘッドホンを説明するための説明図である。
【図３】本発明の各実施形態に係るスライダの構成を分解して説明するための説明図である。
【図４】本発明の第１実施形態に係るヘッドホンが有する接続コードについて説明するための説明図である。
【図５】同実施形態に係るヘッドホンが有する接続コードについて説明するための説明図である。
【図６】同実施形態に係るスライダ内部の状態を説明する説明図である。
【図７】同実施形態に係るスライダ内部の状態を説明する説明図である。
【図８】本発明の第２実施形態に係るヘッドホンが有する接続コードについて説明するための説明図である。
【符号の説明】
【００６９】
１        ヘッドホン
２        ヘッドバンド
３        スライダ
４        ハンガ
５        イヤカップ
６        ハウジング
７        イヤパッド
８        コード
２１      貫通孔
２２      溝
４１      凸部
４２      溝
４３      貫通孔
３１０    インナスライダ
３１１    第１インナスライダ
３１２    第２インナスライダ
３１３    第１結節部
３１４    第２結節部
３１５    締結孔
３１６    螺子
３１７    切欠き
３１８    貫通孔
３２０    アウタスライダ
３２１    第１アウタスライダ
３２２    第２アウタスライダ
３２３    ラッチ部材
３２４    スプリング
３２５    結節部
３２６    貫通孔
３２７    リング
３３０，３４０    接続コード
３３１，３４１    螺旋部
３３２，３４２    外部被覆
３３３    信号線
３３４    内部被覆
【図１】
2009105554.tif 000003
【図２】
2009105554.tif 000004
【図３】
2009105554.tif 000005
【図４】
2009105554.tif 000006
【図５】
2009105554.tif 000007
【図６】
2009105554.tif 000008
【図７】
2009105554.tif 000009
【図８】
2009105554.tif 000010